(57)【要約】【課題】電磁的な閉塞性や接地性を十分に確保できるとともに、接続不良等の障害の発生が少ない電子装置を提供する。【解決手段】略矩形状の開口部を有する筐体と、前記筐体に収納される回路基板と、前記回路基板に取り付けられるコネクタ４と、前記コネクタ４に一部が取り付けられると共に、前記開口部を内側から閉塞するように前記筐体に他部が固定され、前記コネクタに取り付けられる部分と前記筐体に固定される部分３ｂとの間にスリットＳ１〜Ｓ４が形成された弾性薄板部材とを備える電子装置である。【選択図】図１０
2010199127.tif 000002
【特許請求の範囲】
【請求項１】
略矩形状の開口部を有する筐体と、
前記筐体に収納される回路基板と、
前記回路基板に取り付けられるコネクタと、
前記コネクタに一部が取り付けられると共に、前記開口部を内側から閉塞するように前記筐体に他部が固定され、前記コネクタに取り付けられる部分と前記筐体に固定される部分との間にスリットが形成された弾性薄板部材と、
を備えることを特徴とする電子装置。
【請求項２】
前記スリットは、前記弾性薄板部材の長手方向に沿う一方の側縁から該弾性薄板部材の短手方向に沿って、該弾性薄板部材の長手方向に沿う他方の側縁に至らないように形成されていることを特徴とする請求項１に記載の電子装置。
【請求項３】
前記スリットの長手方向の寸法を、前記弾性薄板部材の短手方向の寸法の略１／３又は略２／３に相当する寸法に設定したことを特徴とする請求項２に記載の電子装置。
【発明の詳細な説明】
【技術分野】
【０００１】
本発明は、筐体内部に回路基板を収容してなる電子装置に関する。
【背景技術】
【０００２】
筐体内部に回路基板やその他のユニットを収容してなる電子装置においては、オプション機能の追加等のために、回路基板（主回路基板）上に他の回路基板（拡張基板）を必要に応じて着脱可能に取り付ける構造が採用される場合がある。拡張基板が外部機器と電気的に接続するためのコネクタを有する場合には、該外部機器とのケーブル等を介した接続の容易化のため、筐体には開口部が設けられ、拡張基板を主回路基板に取り付けた状態で、該拡張基板のコネクタが該筐体の開口部に配置されるようにしている（例えば、特許文献１参照）。
【０００３】
拡張基板には、そのコネクタの一部を筐体外部に露出させた状態で該筐体の開口部を閉塞するために、例えば、板状体を略Ｌ字状に折り曲げてなる閉塞部材が取り付けられている。この閉塞部材は略Ｌ字状に形成された一の面が拡張基板に固定され、他の面が筐体の開口部を内側から閉塞した状態で該筐体にネジ止め固定される。
【先行技術文献】
【特許文献】
【０００４】
【特許文献１】特開２００２−６４２８８号公報
【発明の概要】
【発明が解決しようとする課題】
【０００５】
しかしながら、従来技術においては、閉塞部材は拡張基板と筐体の双方に固定される構造であるため、これらの間に寸法的な誤差がある場合には、電磁的な閉塞性や接地性が不十分となることがあるとともに、該閉塞部材を介して拡張基板に不要な力が作用し、接続不良やその他の障害を発生させる原因になる場合があるという問題がある。
【０００６】
本発明はこのような点に鑑みてなされたものであり、電磁的な閉塞性や接地性を十分に確保できるとともに、接続不良やその他の障害を発生させることの少ない電子装置を提供することを目的とする。
【課題を解決するための手段】
【０００７】
本発明によると、略矩形状の開口部を有する筐体と、前記筐体に収納される回路基板と、前記回路基板に取り付けられるコネクタと、前記コネクタに一部が取り付けられると共に、前記開口部を内側から閉塞するように前記筐体に他部が固定され、前記コネクタに取り付けられる部分と前記筐体に固定される部分との間にスリットが形成された弾性薄板部材とを備える電子装置が提供される。
【発明の効果】
【０００８】
本発明によれば、電磁的な閉塞性や接地性を十分に確保できるとともに、接続不良やその他の障害が発生することを少なくすることができるという効果がある。
【図面の簡単な説明】
【０００９】
【図１】本発明の実施形態に係る電子装置の全体構成を示す分解斜視図である。
【図２】本発明の実施形態に係る電子装置の回路基板を装着しない状態でメインカバーを取り外した状態を示す平面図である。
【図３】本発明の実施形態に係る電子装置の回路基板を装着しない状態でメインカバーを取り外した状態を示す側面図である。
【図４】本発明の実施形態に係る電子装置の回路基板を装着した状態でメインカバーを取り外した状態を示す平面図である。
【図５】本発明の実施形態に係る電子装置の回路基板を装着した状態でメインカバーを取り外した状態を示す側面図である。
【図６】本発明の実施形態の回路基板（主回路基板及び拡張基板）の構成を示す分解斜視図である。
【図７】本発明の実施形態の拡張基板の構成を示す平面図である。
【図８】本発明の実施形態の拡張基板の構成を示す側面図である。
【図９】本発明の実施形態の拡張基板のスリットを有しない平面パネルを備える構成を示す正面図である。
【図１０】本発明の実施形態の拡張基板のスリットを有する平面パネルを備える構成を示す正面図である。
【図１１】本発明の実施形態の平面パネルのスリットの第１変形例を示す図である。
【図１２】本発明の実施形態の平面パネルのスリットの第２変形例を示す図である。
【図１３】本発明の実施形態の平面パネルのスリットの第３変形例を示す図である。
【図１４】本発明の実施形態の平面パネルのスリットの第４変形例を示す図である。
【発明を実施するための形態】
【００１０】
以下、本発明の実施形態について、図面を参照して詳細に説明する。
【００１１】
図１〜図５に示すように、本実施形態に係る電子装置の筐体１１は、メインフレーム１２、フロントパネル１３、リアパネル１４、ナカパネル１５、及びメインカバー１６を概略備えて構成されており、これらが複数のネジ（筐体組立ネジ）３１により適宜にネジ止め固定されて、箱状に組み立てられて構成されている。フロントパネル１３には、図１に示されているように、外部機器と内部に収容された電気回路との電気的な接続のために、それぞれケーブルに接続された複数のコネクタ４１，４２が取り付けられる。また、フロントパネル１３には、内外に貫通する略矩形状の開口部１３ａが形成されている。
【００１２】
図２又は図４に示されているように、ナカパネル１５の一方の面側には、電源ユニット１７が収容されており、他方の面側に複数（ここでは、４個）のボス１５ａが圧入固定されている。ボス１５ａはそれぞれネジ穴（タップ穴）を有している。また、図４及び図５に示されているように、ナカパネル１５のボス１５ａには、複数のネジ（主回路基板取付ネジ）３１ａにより、主回路基板２２がナカパネル１５から所定寸法だけ離間した状態でネジ止め固定されている。
【００１３】
主回路基板２２上には、電子部品（不図示）が実装されるとともに、図４及び図６に示されているように、拡張基板ユニット（回路基板）１の機能拡張基板２と電気的に接続するためのコネクタ（内部コネクタ）２２ａが実装されている。主回路基板２２には、ナカパネル１５のボス１５ａにネジ止め固定するため、ナカパネル１５のボス１５ａにそれぞれ対応して貫通穴２２ｂが形成されるとともに、拡張基板ユニット１を支持固定するための複数（この実施形態では、４個）のスペーサ２５がネジ３１ｂによりネジ止め固定されている。スペーサ２５は略円柱状の部材からなり、その両端面の中央部にそれぞれネジ穴が形成されている。
【００１４】
拡張基板ユニット１は、この実施形態では、外部機器（不図示）との入カデータ及び出カデータの通信機能を、追加機能として主回路基板２２の機能に付加させるためのユニットであり、図４〜図９に示されているように、機能拡張基板２、平面パネル（弾性薄板部材）３、一対の外部接続コネクタ（この実施形態では、情報処理コネクタ）４等を備えて構成されている。外部接続コネクタ４は、機能拡張基板２の一の側縁近傍に一対のネジ（外部接続コネクタ取付ネジ）３２によりそれぞれネジ止め固定されており、これらの外部接続コネクタ４，４に平面パネル３がネジ（平面パネル取付ネジ）３２ａによりネジ止め固定されている。
【００１５】
平面パネル３は、略短冊状（矩形状）の薄板（板厚０．６ｍｍ〜０．８ｍｍ程度）から構成された部材であり、主回路基板２２に拡張基板ユニット１を取り付けた状態で、筐体１１のフロントパネル１３の開口部１３ａを内側から閉塞するための部材である。平面パネル３の材質としては、導電性及び弾性を有する金属、例えば、ステンレスを用いることができる。
【００１６】
平面パネル３は、図９に最も良く示されているように、外部接続コネクタ４，４の一部（接続部）が貫通して外部に露出させるための略矩形状の２つの貫通穴を有しており、該貫通穴を挟んで両脇（図９において上下）の部分において、外部接続コネクタ４，４に固定ネジ３２ａにより固定される。また、平面パネル３の長手方向の両端部（図９において、上下の端部）には、筐体１１（フロントパネル１３）に固定するためのネジ穴３ａがそれぞれ形成されている。これらのネジ穴３ａは、例えば、平面パネル３にバーリング加工を施してＭ２．５のタップ穴を形成することにより設けることができる。
【００１７】
機能拡張基板２上には、機能拡張用の電子部品が実装されるとともに、主回路基板２２の内部接続コネクタ２２ａに電気的に接続するための内部接続コネクタ２ａが実装されている。また、機能拡張基板２には、主回路基板２２のスペーサ２５に対応して貫通穴２ｂが形成されており、ネジ（拡張基板取付ネジ）３１ｃにより主回路基板２２のスペーサ２５に着脱可能に固定できるようになっている。
【００１８】
この電子装置の組立は、図２及び図３に示された状態から、図４及び図５に示されているように、主回路基板２２を固定ネジ３１ａによりナカパネル１５のボス１５ａにネジ止めする。次いで、拡張基板ユニット１の機能拡張基板２のコネクタ２ａを主回路基板２２のコネクタ２２ａに接続するとともに、機能拡張基板２を固定ネジ３１ｃにより主回路基板２２のスペーサ２５にネジ止めする。この状態で、平面パネル３は、筐体１１のフロントパネル１３の開口部１３ａに概略位置合わされるので、一対のネジ（平面パネル取付ネジ）３３によりフロントパネル１３にネジ止めする。
【００１９】
図１０は、図９に示した拡張基板ユニット１の平面パネル３の構成を改良した第１変形例の構成を示している。なお、図９と実質的に同様の構成部分については同一の番号を付してその説明を省略する。この第１変形例は、フロントパネル１３に対する両端の取付部３ｂ，３ｂと、外部接続コネクタ４，４とのそれぞれの間の部分に複数のスリットＳ１〜Ｓ４を形成したものである。
【００２０】
図１０では、スリットＳ１及びＳ３は、平面パネル３の長手方向に沿う両側縁のうちの一方の側縁（図１０において右側側縁）からそれぞれ短手方向に沿って切り込む形で、平面パネル３の長手方向に沿う他方の側縁（図１０において左側側縁）に至らないように形成されている。スリットＳ１及びＳ３の切込量は、図１０では、平面パネル３の短手方向の寸法に対して、それぞれ略１／３に相当する寸法に設定している。
【００２１】
スリットＳ２及びＳ４は、平面パネル３の長手方向に沿う両側縁のうちの他方の側縁（図１０において左側側縁）からそれぞれ短手方向に沿って切り込む形で、平面パネル３の長手方向に沿う一方の側縁（図１０において右側側縁）に至らないように形成されている。スリットＳ２及びＳ４の切込量は、図１０では、平面パネル３の短手方向の寸法に対して、それぞれ略１／３に相当する寸法に設定している。
【００２２】
スリットＳ１とＳ２は、平面パネル３の短手方向に沿って略一直線上に互いに対称となるように配置され、スリットＳ３とＳ４は、平面パネル３の短手方向に沿って略一直線上に互いに対称となるように配置されている。従って、平面パネル３の短手方向の寸法からスリットＳ１及びＳ２又はスリットＳ３及びＳ４の長手方向（平面パネル３の短手方向）の寸法を差し引いた寸法（即ち、取付部３ｂの接続部分の寸法）は、平面パネル３の短手方向の寸法の略１／３に設定されている。
【００２３】
このようなスリット（切り込み）を形成することにより、フロントパネル１３に対する両端の取付部３ｂと外部接続コネクタ４との間の部分の互いの拘束性が緩和され、平面パネル３をフロントパネル１３にネジ止め固定した際に、主としてこのスリットＳ１〜Ｓ４を形成した部分の近傍（スリットＳ１とＳ２との間の接続部、スリットＳ３とＳ４との間の接続部）で平面パネル３が撓むため、平面パネル３の不規則な撓みが抑制され、フロントパネル１３の開口部１３ａの電磁的な閉塞性や接地性を、図９に示したスリットのない平面パネルよりも向上することができる。また、平面パネル３をフロントパネル１３に固定した際に生じる力が外部接続コネクタ４や機能拡張基板２に作用することも少なくなり、電気的な接続性等に悪影響を与えることを、図９に示したスリットのない平面パネルよりも抑制することができる。
【００２４】
平面パネル３に形成するスリットとしては、図１０に示されるものに限定されず、図１１〜図１４に示すようなものであっても良い。なお、図１１〜図１４において、図９に示した平面パネルと実質的に同様の部分には同一の番号を付してその説明を省略する。また、図１１〜図１４においては、平面パネルの一端部のみを表示しているが、他端部の構成も同様である。
【００２５】
図１１は平面パネルの第１変形例を示しており、この第１変形例では、図１０のスリットＳ１及びＳ２と同様にスリットＳ１１及びＳ１２を配置するとともに、これらに隣接して、図１０のスリットＳ１及びＳ２と同様なスリットＳ１３，Ｓ１４を配置して、２列に形成したものである。なお、図１１において、同様なスリットを３列以上形成しても良い。
【００２６】
図１２は平面パネルの第２変形例を示しており、この第２変形例では、スリットＳ２１は、平面パネル３の長手方向に沿う両側縁のうちの一方の側縁（図１２において右側側縁）から平面パネル３の短手方向に沿って切り込む形で、平面パネル３の長手方向に沿う他方の側縁（図１２において左側側縁）に至らないように形成されている。スリットＳ２１の切込量は、図１２では、平面パネル３の短手方向の寸法に対して、略２／３に相当する寸法に設定している。
【００２７】
図１３は平面パネルの第３変形例を示しており、この第３変形例では、図１２に示した第２変形例のスリットＳ２１と同様のスリットＳ３１を設けるとともに、これに隣接して第２変形例のスリットＳ２１と同様のスリットＳ３２を配置して、２列に形成したものである。なお、図１３においても、同様なスリットを３列以上形成しても良い。
【００２８】
図１４は平面パネルの第４変形例を示しており、この第４変形例では、図１２に示したスリットＳ２１と同様なスリットＳ４１に加えて、平面パネル３の長手方向に沿う両側縁のうちの他方の側縁（図１４において左側側縁）からも同様なスリットＳ４２を形成したものである。図１４では、スリットの切込量は平面パネル３の短手方向の寸法に対して、それぞれ略２／３に設定している。なお、図１４において、スリットＳ４１又はＳ４２と同様な単一又は複数のスリットをさらに互い違いに追加した構成としても良い。
【００２９】
なお、平面パネル３に形成するスリットの形状は、図１０〜図１４に示したもの以外に様々な形状を採用することができる。例えば、図１０〜図１４においては、スリットは平面パネル３の長手方向に沿う両側縁のうちの一方及び／又は他方の側縁から切り込む形で形成しているが、スリットの長手方向の両端共に平面パネルの側縁に至らないように形成してもよく、この場合において、同様のスリットを平面パネル３の長手方向及び／又は短手方向に隣接して複数配置してもよい。また、上述した種々のスリットを組み合わせて構成してもよい。また、スリットの形成方向（スリットの長手方向）は、上記では平面パネル３の短手方向に沿うように設定したが、斜めに形成してもよい。
【００３０】
ナカパネル１５に対する主回路基板２２の取付誤差、主回路基板２２に対する拡張基板ユニット１の取付誤差、機能拡張基板２に対する外部接続コネクタ４の取付誤差、外部接続コネクタ４に対する平面パネル３の取付誤差等により、平面パネル３と筐体１１のフロントパネル１３の開口部１３ａとの間に隙間が生じることがあるが、平面パネル３は薄板状の部材であるとともに、弾性を有しているため、平面パネル３をフロントパネル１３にネジ止めした際に、これらの誤差に伴う平面パネル３とフロントパネル１３の開口部１３ａとの位置ずれは、平面パネル３が適宜に撓むことにより吸収される。
【００３１】
従って、従来のように、平板を略Ｌ字状に折り曲げてなる閉塞部材を拡張基板に固定したものと比較して、平面パネル３はフロントパネル１３の内面に密着するので、電磁的な閉塞性や接地性が向上するとともに、ネジ止め固定に伴う力が拡張基板ユニット１の外部接続コネクタ４、機能拡張基板２、内部接続コネクタ２ａ及び２２ａに作用することが少なくなり、電気的な接続性等に悪影響を与えることも抑制することができる。従って、外部からの筐体１１内への電磁波等の侵入や外部への電磁波の放出を少なくすることができるとともに、高品質な電子装置を提供することができる。
【００３２】
また、従来技術では、寸法誤差等により、略Ｌ字状の閉塞部材とフロントパネルとの間に生じる隙間によって発生する閉塞性や接地性の障害、応力による接続性の障害等を抑制するため、主回路基板をナカパネルに対して、拡張基板ユニットを主回路基板に対して、閉塞部材をフロントパネルに対して、それぞれ固定ネジで仮止めして、全体のバランスをとって、閉塞部材とフロントパネルとの間になるべく隙間が生じないように組み立てる必要があり、作業工数が多いという問題があったが、本実施形態によれば、主回路基板２２をナカパネル１５に、拡張基板ユニット１を主回路基板２２に完全に固定した後に、平面パネル３をフロントパネル１３に固定することが可能となり、組立の作業工数を低減することもできる。
【００３３】
特に、図１０〜図１４に示したようにスリットを有する平面パネル３を採用すれば、各部の寸法的な誤差はこのスリットの部分で吸収され、電磁的な閉塞性や接地性をさらに向上することができるとともに、電気的な接続性等に悪影響を与えることもさらに抑制することができる。
【００３４】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【符号の説明】
【００３５】
１…拡張基板ユニット、２…機能拡張基板、２ａ…内部接続コネクタ、３…平面パネル、４…外部接続コネクタ、１１…筐体、１２…メインフレーム、１３…フロントパネル、１３ａ…開口部、１４…リアパネル、１５…ナカパネル、１５ａ…ボス、１６…メインカバー、１７…電源ユニット、２２…主回路基板、２２ａ…内部接続コネクタ、２５…スペーサ、３１，３１ａ，３１ｂ，３１ｃ，３２，３２ａ，３３…ネジ、Ｓ１〜Ｓ４，Ｓ１１〜Ｓ１４，Ｓ２１，Ｓ３１，Ｓ３２，Ｓ４１，Ｓ４２…スリット。
【図１】
2010199127.tif 000003
【図２】
2010199127.tif 000004
【図３】
2010199127.tif 000005
【図４】
2010199127.tif 000006
【図５】
2010199127.tif 000007
【図６】
2010199127.tif 000008
【図７】
2010199127.tif 000009
【図８】
2010199127.tif 000010
【図９】
2010199127.tif 000011
【図１０】
2010199127.tif 000012
【図１１】
2010199127.tif 000013
【図１２】
2010199127.tif 000014
【図１３】
2010199127.tif 000015
【図１４】
2010199127.tif 000016